(57)【要約】【課題】筒状部材内での重量物の流れを円滑にすることで、選別処理効率を向上することができる風力選別機を提供する。【解決手段】風力により混合物を選別する風力選別機において、傾斜した状態で回転自在に支持された本体回転ドラム１と、この本体回転ドラム１の長手方向一方側側面に接続したブロワ３と、この本体回転ドラム１の長手方向他方側側面に設けた投入ホッパ４と、この投入ホッパ４から投入された混合物を一旦捕捉するように本体回転ドラム１内の長手方向３箇所に周方向にわたって設けられると共に、捕捉した混合廃棄物を本体回転ドラム１の長手方向一方側へ円滑に移送するように、投入ホッパ４側の端面２３ａ１Ａ，２３ｂ１Ａ，２３ｃ１Ａを本体回転ドラム１の径方向中心部に向かって傾斜させたブロック部材２３ａ１，２３ｂ１，２３ｃ１とを備える。【選択図】  図１
2004314018.tif 000002
【特許請求の範囲】
【請求項１】
風力により混合物を選別する風力選別機において、
傾斜した状態で回転自在に支持された筒状部材と、
この筒状部材の長手方向一方側側面に接続した送風機と、
前記筒状部材の長手方向他方側側面に設けた投入ホッパと、
この投入ホッパから投入された混合物を一旦捕捉するように前記筒状部材内の長手方向複数箇所に周方向にわたって設けられると共に、捕捉した混合物を前記筒状部材の長手方向一方側へ円滑に移送するように、前記投入ホッパ側の端面を前記筒状部材の径方向中心部に向かって傾斜させた環状のブロック部材と
を備えたことを特徴とする風力選別機。
【請求項２】
請求項１記載の風力選別機において、前記端面の傾斜角度は前記筒状部材の傾斜角度以上であることを特徴とする風力選別機。
【請求項３】
風力により混合物を選別する風力選別機において、
傾斜した状態で回転自在に支持された筒状部材と、
この筒状部材の長手方向一方側側面に接続した送風機と、
前記筒状部材の長手方向他方側側面に設けた投入ホッパと、
この投入ホッパから投入された混合物を一旦捕捉するように前記筒状部材内の長手方向複数箇所に周方向にわたって設けた環状のブロック部材と、
このブロック部材の前記投入ホッパ側における前記筒状部材の円周方向複数箇所に設けられ、前記ブロック部材よりも高さを有する掻き上げ部材と
を備えたことを特徴とする風力選別機。
【請求項４】
風力により混合物を選別する風力選別機において、
傾斜した状態で回転自在に支持された筒状部材と、
この筒状部材の長手方向一方側側面に接続した送風機と、
前記筒状部材の長手方向他方側側面に設けた投入ホッパと、
この投入ホッパから投入された混合物を一旦捕捉するように前記筒状部材内の長手方向複数箇所に周方向にわたって設けられると共に、捕捉した混合物を前記筒状部材の長手方向一方側へ円滑に移送するように、前記投入ホッパ側の端面を前記筒状部材の径方向中心部に向かって傾斜させた環状のブロック部材と、
このブロック部材の前記投入ホッパ側における前記筒状部材の円周方向複数箇所に設けられ、前記ブロック部材よりも高さを有する掻き上げ部材と
を備えたことを特徴とする風力選別機。
【請求項５】
請求項３又は４記載の風力選別機において、前記掻き上げ部材は前記ブロック部材の上部位置まで延設されていることを特徴とする風力選別機。
【発明の詳細な説明】
【０００１】
【発明の属する技術分野】
本発明は、混合物中に含まれる様々な物を、風力を用いてその重量に応じて選別する風力選別機に関するものである。
【０００２】
【従来の技術】
一般に、産業廃棄物は事業活動に伴って生じることから特別な性状のものが大量に発生する場合が多く、例えば建築物の解体現場では、石、コンクリート塊、木材片、ガラス片、壁土、新建材、金具等が細かいばらものとなった解体屑又はミンチと称するそれらの混合物が粗大廃棄物と混在した混合廃棄物が発生する。この混合廃棄物中には、上記以外にも、廃プラスチック類、ゴムくず、がれき類等が含まれる場合も多い。
【０００３】
昨今、建設副産物の再利用の気運の高まりから、分別解体の推奨や分別搬出の義務付けがなされようとしている。このような背景から、上記のような混合廃棄物の分別を行うために、風力を用いて廃棄物の選別を行う風力選別機が従来より知られている（例えば、特許文献１参照。）。この従来の技術では、回転ドラムへ投入された混合廃棄物に空気供給管で選別用の空気流を衝突させ、混合廃棄物中の軽量物は空気流に乗せて回転ドラムの後端側開口から排出し、重量物は筒状部材内面に設けた掻き上げ板によって空気流とは反対方向に搬送され、回転ドラムの前端開口から排出するようになっている。
【０００４】
【特許文献１】
特開平６−２３３２５号公報
【０００５】
【発明が解決しようとする課題】
しかしながら、混合廃棄物中には、例えば石、がれき等の重量物にビニールシート、又は紐状若しくはフィルム状の軽量物が強固に絡み合って形成された塊等が含まれる場合があり、このような場合には空気流だけで塊をほぐすことができず、上記従来の技術では軽量物を重量物から選別できない恐れがあった。
【０００６】
そこで、本願発明者等は、傾倒可能且つ回転自在に支持された筒状部材（回転ドラム）内に投入された混合廃棄物を一旦捕捉するブロック部材、及びこのブロック部材で捕捉した混合廃棄物を筒状部材の回転に伴って掻き上げる掻き上げ部材を設けた風力選別機を発明した。この風力選別機においては、投入口から筒状部材へ投入された混合廃棄物に筒状部材の長手方向一方側に設けた送風機からの空気流を衝突させ、混合廃棄物中の軽量物を空気流に乗せて筒状部材の長手方向他方側から排出する一方で、風力に打ち勝ち筒状部材内を長手方向一方側に向かって流れる重量物を、ブロック部材によって捕捉することで一旦滞留させ、この滞留した重量物を掻き上げ部材によって回転方向に掻き上げて、大きく持ち上げた後に落下させて解きほぐす。これにより、上記したようなビニールシート、又は紐状若しくはフィルム状の軽量物が石、がれき等の重量物に強固に絡み合った場合でも、その塊を確実に解きほぐし、軽量物を重量物から分離することができる。
【０００７】
そして、本願発明者等のその後の検討によれば、上記発明には以下のような更なる改善の余地があることが分かった。
すなわち、上述の風力選別機では混合物を落下させて解きほぐすことにより重量物と軽量物とに分離し、これにより軽量物は空気流に乗って筒状部材の長手方向他方側から排出される。一方、重量物は、上記落下時に鉛直方向下方に向かって落下しつつ筒状部材に対しては筒状部材が傾斜していることから長手方向一方側に向かって相対的に移動し、一部はブロック部材を乗り越え、残りは再度ブロック部材で捕捉されて掻き上げ部材で掻き上げられるといった動作を繰り返す。このようにして、ブロック部材を乗り越えた重量物については筒状部材内を長手方向一方側に向かって移動し排出される。そのため、ブロック部材を乗り越える重量物の割合が減少すると、重量物が筒状部材内で滞留し、選別処理量が低下する恐れがあった。
【０００８】
本発明は、上記従来技術の問題に鑑みてなされたものであり、その目的は、筒状部材内での重量物の流れを円滑にすることで、選別処理効率を向上することができる風力選別機を提供することにある。
【０００９】
【課題を解決するための手段】
（１）上記目的を達成するために、本発明は、風力により混合物を選別する風力選別機において、傾斜した状態で回転自在に支持された筒状部材と、この筒状部材の長手方向一方側側面に接続した送風機と、前記筒状部材の長手方向他方側側面に設けた投入ホッパと、この投入ホッパから投入された混合物を一旦捕捉するように前記筒状部材内の長手方向複数箇所に周方向にわたって設けられると共に、捕捉した混合物を前記筒状部材の長手方向一方側へ円滑に移送するように、前記投入ホッパ側の端面を前記筒状部材の径方向中心部に向かって傾斜させた環状のブロック部材とを備えるものとする。
【００１０】
本発明の風力選別機においては、筒状部材を傾斜した状態において、投入口から混合物を投入すると、投入された混合物は筒状部材内を長手方向他方側から長手方向一方側へ流れ、筒状部材内の長手方向複数箇所に設けられたブロック部材の投入ホッパ側端面により捕捉され、一旦滞留する。このとき、例えばこの滞留部分に筒状部材の回転に伴って滞留した混合物を回転方向に掻き上げる掻き上げ部材を設けることで、上記捕捉された混合物は筒状部材の回転と共に掻き上げ部材によってその回転方向に掻き上げられる。そして、所定の高さまで持ち上げられると、ブロック部材の端面に沿いつつ（すなわち筒状部材が傾斜していることからブロック部材の端面に半分載った状態で）重力により掻き上げ部材上を筒状部材の径方向中心側に向かって滑り落ち、その後落下する。落下して解きほぐされた混合物中の軽量物は、送風機で生起した空気流に吹き付けられ、その空気流に乗って長手方向一方側に向かって運ばれて筒状部材より排出される。一方、混合物中の重量物は、上記落下時において、鉛直方向下側に向かって落下しつつ筒状部材が傾斜していることから筒状部材に対しては長手方向一方側に向かって相対的に移動し、一部はブロック部材を乗り越え、乗り越えられなかった残りは再度ブロック部材の端面に捕捉されて掻き上げ部材で掻き上げられる。混合物中の重量物は、このような動作を繰り返すことで軽量物を分離されつつブロック部材を乗り越え、筒状部材内を長手方向一方側に向かって転がって排出される。
【００１１】
ここで、例えばブロック部材の投入ホッパ側端面が筒状部材の軸心に垂直である場合、掻き上げられた重量物はその端面に沿いつつ径方向中心側に向かって（すなわち筒状部材に対してその長手方向一方側に相対的に移動せずに、言い換えれば筒状部材の軸心方向には移動せずに）掻き上げ部材上を滑り落ち、その後鉛直方向下側に向かって（すなわち筒状部材に対してその長手方向一方側に相対的に移動しながら）落下する。これに対し、本発明においては、ブロック部材の投入ホッパ側端面を、混合物が筒状部材の長手方向一方側へ円滑に移動するように径方向中心側に向かって傾斜させている。これにより、掻き上げられた重量物は径方向中心側に向かって傾斜した端面に沿いつつ掻き上げ部材上を滑り落ちて落下する（すなわち、滑り落ち始めた時点から筒状部材に対しその長手方向一方側に向かって相対的に移動する）ので、滑り落ち始めてから落下し終わるまでの間における重量物の筒状部材に対する長手方向一方側への相対移動量が、上述した端面が軸心に垂直な場合に比べて増大する。この結果、ブロック部材を乗り越える重量物の割合が増加し、筒状部材内での重量物の流れを円滑にして長手方向一方側への送り出し量を増加することができる。したがって、風力選別機の選別処理効率を向上することができる。
【００１２】
（２）上記（１）において、好ましくは、前記端面の傾斜角度は前記筒状部材の傾斜角度以上であるものとする。
これにより、混合物が掻き上げ部材上を円滑に滑り落ちるようにすることができる。
【００１３】
（３）上記目的を達成するために、また本発明は、風力により混合物を選別する風力選別機において、傾斜した状態で回転自在に支持された筒状部材と、この筒状部材の長手方向一方側側面に接続した送風機と、前記筒状部材の長手方向他方側側面に設けた投入ホッパと、この投入ホッパから投入された混合物を一旦捕捉するように前記筒状部材内の長手方向複数箇所に周方向にわたって設けた環状のブロック部材と、このブロック部材の前記投入ホッパ側における前記筒状部材の円周方向複数箇所に設けられ、前記ブロック部材よりも高さを有する掻き上げ部材とを備えるものとする。
【００１４】
本発明の風力選別機においては、筒状部材を傾斜した状態において、投入口から混合物を投入すると、投入された混合物は筒状部材内を長手方向他方側から長手方向一方側へ流れ、筒状部材内の複数箇所に設けたブロック部材により捕捉され、一旦滞留する。そして、捕捉された混合物は、ブロック部材の投入ホッパ側における筒状部材の内周面の円周方向複数箇所に設けた掻き上げ部材によって、筒状部材の回転に伴ってその回転方向に掻き上げられる。そして、所定の高さまで持ち上げられると、重力により掻き上げ部材上を筒状部材の径方向中心側に向かって滑り落ち、その後落下する。落下して解きほぐされた混合物中の軽量物は、送風機で生起した空気流に吹き付けられ、その空気流に乗って長手方向他方側に向かって運ばれて筒状部材より排出される。一方、混合物中の重量物は、上記落下時において、鉛直方向下側に向かって落下しつつ筒状部材が傾斜していることから筒状部材に対しては長手方向一方側に向かって相対的に移動し、一部はブロック部材を乗り越え、乗り越えられなかった残りは再度ブロック部材に捕捉されて掻き上げ部材で掻き上げられる。混合物中の重量物は、このような動作を繰り返すことで軽量物を分離されつつブロック部材を乗り越え、筒状部材内を長手方向一方側に向かって転がって排出される。
【００１５】
このとき、上記掻き上げられた重量物が掻き上げ部材上を滑る際には、重力により掻き上げ部材上を筒状部材の径方向中心側に向かって滑り落ちつつ筒状部材が傾斜していることから長手方向一方側にも滑り落ちるため、結果として径方向中心側と長手方向一方側との間の斜め方向に向かって滑ることになる。ここで、例えば掻き上げ部材がブロック部材と同等の高さを有する（すなわち、掻き上げ部材が筒状部材の内面からブロック部材の内周面とほぼ同等の径方向位置まで延設されている）場合、重量物は掻き上げ部材上を上記斜め方向（径方向中心側と長手方向一方側との間の方向）に滑り落ちてブロック部材の内周面とほぼ同等の径方向位置まで達したところで掻き上げ部材上から落ちて鉛直方向下側に向かって落下する。これに対し、本発明においては掻き上げ部材をブロック部材よりも高さを有する構造とする（すなわち、掻き上げ部材を筒状部材の内面からブロック部材の内周面よりも径方向内側まで延設する）。この結果、掻き上げ部材がブロック部材の内周面より径方向中心側に延びている分だけ、重量物が掻き上げ部材上を上記斜め方向（径方向中心側と長手方向一方側との間の方向）に向かって滑り落ちる時間が延長される。これにより、上記掻き上げ部材がブロック部材と同等の高さを有する場合に比べ、重量物は掻き上げ部材上を上記斜め方向に長く滑り落ちた後に落下することになるので、滑り落ち始めてから落下し終わるまでの間における重量物の筒状部材に対する長手方向一方側への相対移動量を増大することができる。この結果、ブロック部材を乗り越える重量物の割合が増加し、筒状部材内での重量物の流れを円滑にして長手方向一方側への送り出し量を増加することができる。したがって、風力選別機の選別処理効率を向上することができる。
【００１６】
（４）上記目的を達成するために、また本発明は、風力により混合物を選別する風力選別機において、傾斜した状態で回転自在に支持された筒状部材と、この筒状部材の長手方向一方側側面に接続した送風機と、前記筒状部材の長手方向他方側側面に設けた投入ホッパと、この投入ホッパから投入された混合物を一旦捕捉するように前記筒状部材内の長手方向複数箇所に周方向にわたって設けられると共に、捕捉した混合物を前記筒状部材の長手方向一方側へ円滑に移送するように、前記投入ホッパ側の端面を前記筒状部材の径方向中心部に向かって傾斜させた環状のブロック部材と、このブロック部材の前記投入ホッパ側における前記筒状部材の円周方向複数箇所に設けられ、前記ブロック部材よりも高さを有する掻き上げ部材とを備えるものとする。
これにより、上記（１）及び（３）の両方の効果を得ることができる。
【００１７】
（５）上記（３）又は（４）において、好ましくは、前記掻き上げ部材は前記ブロック部材の上部位置まで延設されているものとする。
これにより、重量物が掻き上げ部材上を径方向中心側と長手方向一方側との間の斜め方向に向かって滑り落ちる時間がさらに延長されると共に、掻き上げ部材が重量物をブロック部材の上部位置まで導入するガイドの役目も果たすこととなるので、ブロック部材を乗り越える重量物の割合をさらに増加することができる。
【００１８】
【発明の実施の形態】
以下、本発明の風力選別機の実施の形態を図面を参照しつつ説明する。
まず、本発明の一実施の形態を図１乃至図７を参照しつつ以下に説明する。
図１は本発明の風力選別機の一実施の形態の全体構造を一部断面で表す側面図であり、図２はこの風力選別機を図１中矢印Ａ方向から見た矢視正面図である。また、図３は図１中ＩＩＩ−ＩＩＩ断面による横断面図、図４は図１中ＩＶ−ＩＶ断面による横断面図である。これら図１乃至図４において、１は本体回転ドラム（筒状部材）、２は本体回転ドラム１を回転駆動する本体回転ドラム駆動モータ、３は本体回転ドラム１の長手方向一方側（図１中左側）に設けたブロワ（送風機）、４は本体回転ドラム１の長手方向他方側（図１中右側）に設けられ、投入される混合廃棄物を受け入れるための投入ホッパ（投入口）、５は本体フレーム、６はベースフレーム、７は動力制御盤である。
【００１９】
本体フレーム５は、ピン１０を介してベースフレーム６に対して傾倒自在に接続されている。１１はその傾動動作用のシリンダ（例えば電動シリンダ、油圧シリンダ等）であり、一端側（図１中下側）がピン１２を介しベースフレーム６に設けたブラケット１３に回動自在に接続されており、他端側（図１中上側）がピン１４を介し本体フレーム５に設けたブラケット１５に回動自在に接続されている。このような構造により、シリンダ１１の伸縮動作によって本体回転ドラム１をピン１０を回動支点として傾動させ、所望の傾斜角度（＝任意の傾斜状態、但し水平状態を含む）に保持可能となっている。なお、シリンダ１１を用いず、チェーンブロック等の別途の支持手段で所望の傾斜角度に支持するようにしてもよい。
【００２０】
本体回転ドラム１は、詳細な支持構造の図示及び説明を省略するが、回転ドラム支持ローラ１６ａ，１６ｂを介して本体フレーム５に対し回転自在に支持されており、図１中右側の回転ドラム支持ローラ１６ｂに上述の回転ドラム駆動モータ（電動モータ、又は油圧モータ、あるいはエンジン直結でもよい。また可変速として回転速度を自在に調節できるようにしてもよい）２の駆動力が伝達されることにより、本体回転ドラム１はその軸心線Ｂ（後述の図５参照）まわりに回転駆動されるようになっている。
【００２１】
また、１７は本体回転ドラム１の外郭を構成し、長手方向両側（図１中左右側）に開口を有する略円筒形状のドラム本体、１８はこのドラム本体１７の長手方向一方側（図１中左側）の開口を覆うようにドラム本体１７とわずかな隙間を介在して設けたカバー部材、１９はドラム本体１７の長手方向他方側（図１中右側）の開口を覆うようにドラム本体１７とわずかな隙間を介在して設けたカバー部材である。上記カバー部材１８，１９はそれぞれ後述の送風ダクト３１、排出ダクト２７等を介して本体フレーム５に固定支持されているが、上記のようにドラム本体１７とわずかな隙間を介して配置されているため、ドラム本体１７の回転駆動を阻害しないようになっている。
【００２２】
２０はカバー部材１８の下部に設けた重量物排出口、２１はカバー部材１９の略中央部に設けた軽量物排出口、２２はカバー部材１９の外周と上記軽量物排出口２１との間の領域のうち軽量物排出口２１の側方一方側（図４中左側）に設けた廃棄物投入用の投入口であり（図４参照）、この投入口２２に前記の投入ホッパ４が接続されている。また、３５はカバー部材１９の内側（すなわち内周面）に設けた庇部材であり、投入口２２の本体回転ドラム回転方向（図３中矢印ア方向）上流側を覆う庇部３５ａと、投入口２２の径方向中心側（すなわち軽量物排出口２１側）を覆う側壁部３５ｂとから構成されている（図１参照）。この庇部材３５により、本体回転ドラム１内を流れる空気流が投入口２２を介して投入ホッパ４から機外に逆流しないように便宜が図られている。
【００２３】
また、２３ａ１，２３ｂ１，２３ｃ１はこの順序で本体回転ドラム１の長手方向に上記軽量物排出口２１から重量物排出口２０側に向かって間隔をおいてそれぞれ配列した略円環形状のブロック部材であり、その外周面がドラム本体１７の内周面１７ａに密着するように固定されている（図３も参照）。２４ａ１，２４ｂ１，２４ｃ１はそれぞれ、ブロック部材２３ａ１，２３ｂ１，２３ｃ１の軽量物排出口２１側（言い換えればブロック部材２３ａ１の軽量物排出口２１側、ブロック部材２３ａ１，２３ｂ１の間、ブロック部材２３ｂ１，２３ｃ１の間）に設けた掻き上げ板であり、各掻き上げ板２４ａ１，２４ｂ１，２４ｃ１はそれぞれドラム本体内周面１７ａの円周方向複数箇所（本実施の形態では４箇所、但し数及びピッチは導入する混合廃棄物の最大の大きさを考慮し、廃棄物が各掻き上げ板２４ａ１，２４ａ１（又は２４ｂ１，２４ｂ１、又は２４ｃ１，２４ｃ１）間に挟み込まれ固まって不動とならないようにする）に所定ピッチで配列固定されている（図３参照）。このような構造によって、本体回転ドラム１内の流路には、ブロック部材２３ａ１，２３ｂ１，２３ｃ１の内周側にはドラム本体１７の内径寸法より縮小された小径部２５Ａ，２５Ｂ，２５Ｃがそれぞれ形成されるとともに、小径部２５Ａと軽量物排出口２１との間、小径部２５Ａ，２５Ｂの間、小径部２５Ｂ，２５Ｃの間、小径部２５Ｃと重量物排出口２０との間に、ほぼドラム本体１７の内径寸法である大径部２６Ａ，２６Ｂ，２６Ｃ，２６Ｄがそれぞれ形成される。言い換えれば、これら小径部２５Ａ，２５Ｂ，２５Ｃ及び大径部２６Ａ，２６Ｂ，２６Ｃ，２６Ｄは、ドラム本体１７内に、その長手方向に沿って、軽量物排出口２１から重量物排出口２０に向けて、大径部２６Ａ、小径部２５Ａ、大径部２６Ｂ、小径部２５Ｂ、大径部２６Ｃ、小径部２５Ｃ、大径部２６Ｄの順で交互に配置されている。
【００２４】
なお、投入口２２から導入された混合廃棄物（特に重量物）はドラム本体１７内をその長手方向に図１中左側（言い換えれば重量物排出口２０側）に流れるが、このとき、各ブロック部材２３ａ１，２３ｂ１，２３ｃ１の投入口２２側（図１中右側）に位置する端面２３ａ１Ａ，２３ｂ１Ａ，２３ｃ１Ａは、その流れる混合廃棄物を対応する小径部２５Ａ，２５Ｂ，２５Ｃの手前で捕捉する機能を有している。また、前述の掻き上げ板２４ａ１，２４ｂ１，２４ｃ１はそれぞれ、上記各ブロック部材端面２３ａ１Ａ，２３ｂ１Ａ，２３ｃ１Ａで捕捉された混合廃棄物を本体回転ドラム１の回転と共にその回転方向に掻き上げて同伴させ攪拌する機能を有している。このとき、上記各端面２３ａ１Ａ，２３ｂ１Ａ，２３ｃ１Ａには径方向内側が径方向外側より長手方向重量物排出口側（すなわち長手方向に図１中左側）に向かって傾斜するように（言い換えれば径方向中心側に向かって長手方向重量物排出口側に傾斜するように）テーパが設けられており、重量物が重量物排出口２０側に円滑に流れるように便宜が図られている（詳細は後述）。また、ブロック部材２３ｃ１の重量物排出口２０側（図１中左側）端面２３ｃ１Ｂには長手方向重量物排出口側（長手方向に図１中左側）に向けて拡開するようにテーパが設けられており、ここまで到達した重量物が重量物排出口２０まで自重ですばやく円滑に転げ落ちるように便宜が図られている。
【００２５】
２７は、一端側（図１中左側）が前記のカバー部材１９の軽量物排出口２１に挿通され、他端側が本体回転ドラム１の長手方向他方側（図１中右側）に向かって突出するように本体フレーム５に固定された支持部材２８によって固定支持された排出ダクトである。前記のブロワ３の生起する空気流に乗った混合廃棄物中の軽量物は、この排出ダクト２７を介して機外へ排出されるようになっている。
【００２６】
ブロワ３は、本体フレーム５の長手方向一方側端部（図１中左側端部）近傍に支持部材２９を介して固定されており、ブロワ駆動モータ３０によって駆動され、混合廃棄物中の軽量物を重量物から選別し搬送するための空気流を生起する。３１はブロワ３の出口側に接続された送風ダクト、３２はカバー部材１８の略中央部に設けられた略円形のダクトガードである。このダクトガード３２は例えば格子状となっており、送風ダクト３１からの空気流に例えば粗大な異物が混入している場合等に、その異物が本体回転ドラム１内へ流入しないようにブロックするフィルタの役目を果たしている。また、３３は送風ダクト３１に連続するようにカバー部材１８の内周面から延設された送風フードであり、ブロワ３で生起された空気流は、送風ダクト３１、送風フード３３を介して本体回転ドラム１内に供給される。３４は前記カバー部材１８の重量物排出口２０に接続された排出シュートであり、上記送風フード３３は、大径部２６Ｄのうち重量物を排出する排出シュート３４側の領域（すなわち下方側の領域）には開口部３３Ａを重量物排出口２０に臨むように設けて重量物を排出可能とする一方、排出シュート３４と反対側の領域（すなわち上方側の領域）を仕切ってそちらには空気流や重量物が流れないようにする役割を果たしている。
【００２７】
動力制御盤７は、上記ブロワ駆動モータ３０等に電源を供給する役割を果たすと共に、そのブロワ駆動モータ３０の運転・停止スイッチ、前記の本体回転ドラム１を回転駆動する本体回転ドラム駆動モータ２の起動・停止スイッチ、及び本体フレーム５の傾動動作用シリンダ１１の伸長・縮短スイッチ等の操作スイッチを有した操作盤（図示せず）を備えている。
【００２８】
以上において、カバー部材１８は特許請求の範囲各項記載の筒状部材の長手方向一方側側面を構成し、カバー部材１９は筒状部材の長手方向他方側側面を構成する。
【００２９】
次に、上記構成の本発明の風力選別機の一実施の形態の動作及び作用を以下に説明する。なお、以下の説明では、混合廃棄物中に含まれる重量物をＨ、軽量物をＬとする（図１参照）。
上記構成の風力選別機において、図１に示すようにシリンダ１１を伸長させて本体回転ドラム１の投入口２２側が高くなるように本体フレーム５を傾斜させ保持した後、本体回転ドラム駆動モータ２を駆動すると、回転ドラム支持ローラ１６ａ，１６ｂを介し本体回転ドラム１はその軸心線Ｂ（後述の図５参照）まわりに回転する。そしてブロワ駆動モータ３０を駆動すると、ブロワ３から空気流が生起されて送風ダクト３１、送風フード３３を介し本体回転ドラム１内に供給され、小径部２５Ｃ，２５Ｂ，２５Ａを通過して、軽量物排出口２１を介して排出ダクト２７から機外に吹き出される。
【００３０】
この状態で、例えばコンクリート塊、木材片、ガラス片、がれき類等の重量物Ｈやビニールシート、又は紐状若しくはフィルム状の物等の軽量物Ｌが混在した混合廃棄物を投入ホッパ４に投入すると、この混合廃棄物は投入口２２から本体回転ドラム１内の大径部２６Ａに導入される。
【００３１】
この後の本体回転ドラム１内での混合廃棄物（特に重量物Ｈ）の流れを図５及び図６を用いて説明する。図５は本体回転ドラム１内での混合廃棄物（特に重量物Ｈ）の流れを示した図であり、図６は図５中ＶＩ−ＶＩ断面による横断面図である。
【００３２】
大径部２６Ａに導入された混合廃棄物は、図５中矢印▲１▼に示すように自重によってドラム本体１７の内周面１７ａに沿って傾斜方向下側（図５中左側）に向かって転がるようにして流れていく。その後、混合廃棄物は、この流れ方向（＝空気流方向とは逆になる）最上流側のブロック部材２３ａ１の端面２３ａ１Ａによって一旦捕捉され滞留する。このとき、端面２３ａ１Ａの傾斜方向上側（図５中右側）の大径部２６Ａには周方向複数箇所に掻き上げ板２４ａ１が設けられていることから、上記捕捉された混合廃棄物は、掻き上げ板２４ａ１，２４ａ１の間に滞留する。この結果、本体回転ドラム１が回転していることから、捕捉された混合廃棄物は図５中矢印▲２▼に示すように掻き上げ板２４ａ１によってその回転方向（図６中矢印イ方向）に掻き上げられる。そして、所定の高さまで持ち上げられると、図５及び図６中矢印▲３▼に示すようにブロック部材２３ａ１の端面２３ａ１Ａに沿いつつ（すなわち本体回転ドラム１が傾斜していることから端面２３ａ１Ａに半分載った状態で）重力により掻き上げ板２４ａ１上を本体回転ドラム１の径方向中心側に向かって滑り落ち、その後落下する。この落下時に混合廃棄物はブロワ３からの空気流内に進入して直接吹き付けられるため、混合廃棄物中の大部分の軽量物Ｌはこの空気流に乗って（風力によって）選別され、排出ダクト２７から機外に排出される。一方、混合廃棄物中の重量物Ｈは空気流には乗らず（重力によって風力に打ち勝ち）、選別されなかった残りの軽量物Ｌとともに（その意味では正確には重量物Ｈと軽量物Ｌとの混合廃棄物である）落下する。このとき、重量物Ｈは、図５中矢印▲３▼に示すように鉛直方向下側に向かって落下しつつ本体回転ドラム１が傾斜していることから本体回転ドラム１に対してはその長手方向重量物排出口側（長手方向に図５中左側）に向かって相対的に移動し、例えば小径部２５Ａ内（すなわちブロック部材２３ａ１の上部位置、言い換えれば内側）に落下する。これにより、重量物Ｈの一部はブロック部材２３ａ１を乗り越えて小径部２５Ａを通過し、また残りはブロック部材２３ａ１を乗り越えられずにブロック部材端面２３ａ１Ａに捕捉され、再度掻き上げ板２４ａ１によって掻き上げられる。このようにして、投入された混合廃棄物中の重量物Ｈは徐々に小径部２５Ａを通過して次の大径部２６Ｂに流入する。なお、上記落下して解きほぐされることで重量物Ｈから分離された軽量物Ｌは、空気流に乗って機外に排出される。
【００３３】
以下同様に、大径部２６Ｂに流入した重量物Ｈは図５中矢印▲４▼に示すように傾斜方向下側に流れ、再びブロック部材２３ｂ１の端面２３ｂ１Ａによって捕捉されて大径部２６Ｂに設けた掻き上げ板２４ｂ１，２４ｂ１の間に滞留し、図５中矢印▲５▼に示すように本体回転ドラム１の回転と共に掻き上げ板２４ｂ１によって持ち上げられた後に、図５中矢印▲６▼に示すように落下して解きほぐされ、ブロック部材２３ｂ１を乗り越えつつ小径部２５Ｂを通過し、次の大径部２６Ｃに流入する。さらに、重量物Ｈは図５中矢印▲７▼▲８▼▲９▼に示すように再びブロック部材端面２３ｃ１Ａによって捕捉されて掻き上げ板２４ｃ１によって持ち上げられた後に落下して解きほぐされ、ブロック部材２３ｃ１を乗り越え小径部２５Ｃを通過し、最終段の大径部２６Ｄに流入する。以上のようにして軽量物Ｌが十分に分離された重量物Ｈは、大径部２６Ｄから重量物排出口２０、さらに排出シュート３４を介し、機外に排出される。一方、以上の過程において重量物Ｈから分離された軽量物Ｌは、ブロワ３によって本体回転ドラム１内を吹き通されている空気流により、重量物Ｈの流れとは逆に、傾斜を上る方向（長手方向に図５中右側）へと搬送され、軽量物排出口２１を介し排出ダクト２７を経て機外へと排出される。
【００３４】
以上のような選別過程において、例えばブロック部材２３ａ１，２３ｂ１，２３ｃ１の端面２３ａ１Ａ，２３ｂ１Ａ，２３ｃ１Ａがそれぞれ本体回転ドラム１の軸心線Ｂに垂直である構造の場合、掻き上げられた重量物Ｈは各端面２３ａ１Ａ，２３ｂ１Ａ，２３ｃ１Ａに沿いつつ径方向中心側に向かって（すなわち本体回転ドラム１に対してその長手方向（言い換えれば軸心方向）重量物排出口側に相対的に移動せずに）各掻き上げ板２４ａ１，２４ｂ１，２４ｃ１上を滑り落ち、その後鉛直方向下側に向かって落下し始めて初めて本体回転ドラム１に対してその長手方向重量物排出口側（長手方向に図５中左側）に相対的に移動する。
【００３５】
これに対し、本実施の形態においては、ブロック部材２３ａ１，２３ｂ１，２３ｃ１の端面２３ａ１Ａ，２３ｂ１Ａ，２３ｃ１Ａがそれぞれその径方向内側が径方向外側より長手方向重量物排出口側（長手（軸心）方向に図５中左側）に向かって傾斜した構造となっている。これにより、掻き上げられた重量物Ｈは長手方向重量物排出口側に傾斜した各端面２３ａ１Ａ，２３ｂ１Ａ，２３ｃ１Ａに沿いつつ掻き上げ板２４ａ１，２４ｂ１，２４ｃ１上を滑り落ちるので、滑り落ち始めた時点から本体回転ドラム１に対しその長手方向重量物排出口側に向かって相対的に移動することとなり、滑り落ち始めてから落下し終わるまでの間における重量物Ｈの本体回転ドラム１に対する長手方向重量物排出口側への相対移動量（図５中Ｌで示す）が増大する。この結果、各ブロック部材２３ａ１，２３ｂ１，２３ｃ１を乗り越える重量物Ｈの割合が増加するので、本体回転ドラム１内での重量物Ｈの流れを円滑にして傾斜方向下側への送り出し量を増加することができる。したがって、本実施の形態によれば、重量物Ｈの送り出し量が増加した分投入ホッパ４からの混合廃棄物の投入量を増加できるので、風力選別機の選別処理効率を向上することができる。
【００３６】
さらに本実施の形態によれば、各ブロック部材端面２３ａ１Ａ，２３ｂ１Ａ，２３ｃ１Ａの軸心線Ｂに垂直な面に対する傾斜角度α（図５参照）をそのときの本体回転ドラム１の傾斜角度β（図５参照）以上となるように設定することで、各ブロック部材端面２３ａ１Ａ，２３ｂ１Ａ，２３ｃ１Ａのうち鉛直方向上側における傾斜面の傾斜角度が少なくとも鉛直上下方向以上（すなわち端面２３ａ１Ａ，２３ｂ１Ａ，２３ｃ１Ａのうち鉛直方向上側における傾斜面の径方向外側が径方向内側に対してオーバーハングとなるような状態）となるようにできる。これにより各ブロック部材端面２３ａ１Ａ，２３ｂ１Ａ，２３ｃ１Ａが図５中▲３▼▲６▼▲９▼に示すような混合廃棄物の鉛直方向下向きの落下動作を阻害して重量物Ｈの本体回転ドラム１に対する長手方向重量物排出口側（長手方向に図５中左側）への相対移動量Ｌが減少するのを防止することができる。したがって、本体回転ドラム１内における重量物Ｈの傾斜方向下側への送り出し量を確実に増加することができる。
【００３７】
また本実施の形態によれば、上述したように選別過程において大径部２６に滞留→掻き上げ板２４で持ち上げて落下→ブロック部材２３を乗り越えて小径部２５通過→次の大径部２６に流入、という動作を繰り返させることにより、例えば投入された混合廃棄物中に石、がれき等の重量物Ｈにビニールシート又は紐状若しくはフィルム状の軽量物Ｌが強固に絡み合って形成した塊等が含まれている場合であっても、その塊を確実に解きほぐし、軽量物Ｌを重量物Ｈから剥がし取り分離することができる。また、各小径部２５Ａ，２５Ｂ，２５Ｃを通過し各ブロック部材２３ａ１，２３ｂ１，２３ｃ１を乗り越えるとき、これら各ブロック部材２３ａ１，２３ｂ１，２３ｃ１のエッジによって軽量物Ｌを剥がしとる効果もある。さらに、各小径部２５Ａ，２５Ｂ，２５Ｃにおいては、大きな重量物Ｈがここを通過するときには実質的な空気流通過断面積が減少して空気流速が増大し、その速い空気流によって塊状となったものから軽量物Ｌを剥がし取り分離促進することができる。なお、この空気流の流速増大は、軽量物Ｌが傾斜方向下側（重量物排出口２０側）に落ちていくのを確実に防止できる効果もある。このように、本実施の形態によれば選別性能を向上でき、さらに上記のような重量物Ｈと軽量物Ｌとが強固に絡み合った塊等を含む混合廃棄物をも選別可能とするので、選別対象物の範囲を拡大する効果をも得ることができる。
【００３８】
なお、ブロック部材２３ａ１，２３ｂ１，２３ｃ１は上記一実施の形態の形状に限られるものではない。すなわち、例えば図７に示すように長手方向（軸心方向）長さを小さくした（この図７ではほぼ０としている）小径部２５Ａ′，２５Ｂ′，２５Ｃ′を有するブロック部材２３ａ１′，２３ｂ１′，２３ｃ１′を用いてもよい。この場合、図７中矢印▲３▼′▲６▼′▲９▼′に示すように重量物Ｈは各ブロック部材２３ａ１′，２３ｂ１′，２３ｃ１′を越えて小径部２５Ａ′，２５Ｂ′，２５Ｃ′を通過するようにして落下するので、上記一実施の形態よりも各ブロック部材２３ａ１′，２３ｂ１′，２３ｃ１′を乗り越える重量物Ｈの割合をさらに増加することができる。
【００３９】
次に、本発明の風力選別機の他の実施の形態を図８乃至図１１を参照しつつ以下に説明する。本実施の形態は、ブロック部材の端面を傾斜させることで重量物の流れの促進を図った前述の一実施の形態に対し、掻き上げ板をブロック部材よりも高さを有する構造とすることで重量物の流れの促進を図ったものである。
【００４０】
図８は本発明の風力選別機の他の実施の形態の全体構造を一部断面で表す側面図である。この図８において、前述の一実施の形態における図１と同様の部分には同符号を付し、説明を省略する。
この図８において、１′は本実施の形態の風力選別機の本体回転ドラム、２３ａ２，２３ｂ２，２３ｃ２はその投入口２２側（図８中右側）端面２３ａ２Ａ，２３ｂ２Ａ，２３ｃ２Ａが前記本体回転ドラム１′の軸心線Ｂ（図５参照）に対し垂直であるブロック部材、２４ａ２，２４ｂ２，２４ｃ２は上記ブロック部材２３ａ２，２３ｂ２，２３ｃ２の投入口２２側において本体回転ドラム１′の円周方向複数箇所（本実施の形態では４箇所、後述の図９参照）に設けられ、本体回転ドラム１′（ドラム本体１７）の内周面１７ａからブロック部材２３ａ２，２３ｂ２，２３ｃ２の内径ｒ（後述の図１０参照）より径方向内側まで延設された掻き上げ板である。以上の点以外の構成は前述の一実施の形態における図１の構成と同様である。なお、掻き上げ板２４ａ２，２４ｂ２，２４ｃ２は、請求項３記載のブロック部材よりも高さを有する掻き上げ部材を構成する。
【００４１】
次に、本発明の風力選別機の他の実施の形態の動作及び作用を以下に説明する。
本体回転ドラム１′内の大径部２６Ａに導入された混合廃棄物は、前述の一実施の形態と同様にブロック部材２３ａ２の端面２３ａ２Ａによって一旦捕捉され滞留し、大径部２６Ａにおいて掻き上げ板２４ａ２によってその回転方向（後述の図９中矢印ウ方向）に掻き上げられる。そして、所定の高さまで持ち上げられると重力により掻き上げ板２４ａ２上を径方向内側に向かって滑り落ちる。図９はこのときの混合廃棄物が掻き上げ板２４ａ２上を滑り落ちる様子を示す、図８中ＩＸ−ＩＸ断面による本体回転ドラム１′の横断面図（但し本体回転ドラム１の回転角度については図８と図９とでは異なる）であり、図１０は図９中Ｘ−Ｘ断面による本体回転ドラム１′の断面図である。
【００４２】
これら図９及び図１０に示すように、掻き上げられた重量物Ｈが掻き上げ板２４ａ２上を滑り落ちる際には、重力により掻き上げ板２４ａ２上を径方向中心側に向かって滑り落ちつつ本体回転ドラム１′が傾斜していることから長手方向重量物排出口側（長手方向に図１０中左側）にも滑るため、結果として径方向中心側と長手方向重量物排出口側との間の斜め方向（例えば図１０中実線の矢印Ｃ方向）に向かって滑ることになる。ここで、例えば掻き上げ板２４ａ２がブロック部材２３ａ２とほぼ同等の高さを有する（すなわち、掻き上げ板２４ａ２が本体回転ドラム内周面１７ａからブロック部材２３ａ２の内径ｒとほぼ同等の径方向位置まで延設された）構造である場合（この場合を図１０中１点鎖線２４ａ２Ｌで示す）、重量物Ｈは図９及び図１０中１点鎖線の矢印Ｃ′で示すように掻き上げ板２４ａ２上をブロック部材２３ａ２の内径ｒとほぼ同等の径方向位置まで滑り落ちたところで掻き上げ板２４ａ２上から落ち、鉛直方向下側に向かって落下する。
【００４３】
これに対し、本実施の形態においては掻き上げ板２４ａ２がブロック部材２３ａ２よりも高さを有する（すなわち、掻き上げ板２４ａ２を本体回転ドラム内周面１７ａからブロック部材２３ａ２の内径ｒより径方向内側まで延設された）構造とする。すなわち、掻き上げ板２４ａ２がブロック部材２３ａ２の内径ｒより径方向内側に延びている分だけ、重量物Ｈが掻き上げ板２４ａ２上を上記斜め方向（径方向中心側と長手方向重量物排出口側との間の方向）に向かって滑り落ちる時間が延長される。これにより、図１０に示すように滑り落ち始めてから落下し終わるまでの間における重量物Ｈの本体回転ドラム１′に対する長手方向重量物排出口側への相対移動量Ｌ２を、上記掻き上げ板２４ａ２がブロック部材２３ａ２とほぼ同等の高さを有する構造である場合の重量物Ｈの相対移動量Ｌ２′よりも増大することができる。なお、上記は掻き上げ板２４ａ２について述べたが、他の掻き上げ板２４ｂ２，２４ｃ２についても同様のことが言える（図１０にこれら掻き上げ板２４ｂ２，２４ｃ２での重量物Ｈの流れＤ及びＥを示す）。したがって、本実施の形態によれば、ブロック部材２３ａ２，２３ｂ２，２３ｃ２を乗り越える重量物Ｈの割合を増加でき、重量物Ｈの長手方向重量物排出口側（長手方向に図１０中左側）への送り出し量を増加することができる。したがって、風力選別機の選別処理効率を向上することができる。
【００４４】
なお、掻き上げ板２４ａ２，２４ｂ２，２４ｃ２は上記本発明の他の実施の形態の形状に限られるものではない。すなわち、例えば図１１に示すように、ブロック部材２３ａ２，２３ｂ２，２３ｃ２の上部位置まで延設した（詳細には、本体回転ドラム１′の長手方向重量物排出口側（長手方向に図１１中左側）に向かってブロック部材２３ａ２，２３ｂ２，２３ｃ２の内側を通過し各小径部２５Ａ，２５Ｂ，２５Ｃの長手方向重量物排出口側の末端位置２５Ａａ，２５Ｂａ，２５Ｃａまで延設した）掻き上げ板２４ａ２′，２４ｂ２′，２４ｃ２′としてもよい。この場合、図１１中矢印Ｃ″，Ｄ′，Ｅ′に示すように重量物Ｈが各掻き上げ板２４ａ２′，２４ｂ２′，２４ｃ２′上を斜め方向（径方向中心側と長手方向重量物排出口側との間の方向）に滑り落ちる時間がさらに延長されると共に、各掻き上げ板２４ａ２′，２４ｂ２′，２４ｃ２′が重量物Ｈをブロック部材２３ａ２，２３ｂ２，２３ｃ２の上部位置（言い換えればブロック部材２３ａ２，２３ｂ２，２３ｃ２の内側）まで導入するガイドの役目も果たすことになるので、ブロック部材２３ａ２，２３ｂ２，２３ｃ２を乗り越える重量物Ｈの割合をさらに増加することができる。
【００４５】
次に、本発明の風力選別機のさらに他の実施の形態を図１２を参照しつつ以下に説明する。本実施の形態は、ブロック部材の長手方向軽量物排出口側端面を傾斜させ、且つ、掻き上げ板を本体回転ドラムの径方向内側及び長手方向重量物排出口側に延長することで重量物の流れの促進を図ったものであり、上述してきた一実施の形態及び他の実施の形態の変形例の構成を併せて備えたものである。
【００４６】
図１２は本発明の風力選別機のさらに他の実施の形態の全体構造を一部断面で表す側面図である。この図１２において、前述の一実施の形態における図１と同様の部分には同符号を付し、説明を省略する。
この図１２において、１″は本実施の形態の風力選別機の本体回転ドラム、２３ａ３，２３ｂ３，２３ｃ３はその投入口２２側（図１２中右側）端面２３ａ３Ａ，２３ｂ３Ａ，２３ｃ３Ａが径方向内側が径方向外側より長手方向重量物排出口側（すなわち長手方向に図１２中左側）に向かって傾斜するように（言い換えれば径方向中心側に向かって長手方向重量物排出口側に傾斜するように）テーパが設けられたブロック部材、２４ａ３，２４ｂ３，２４ｃ３はブロック部材２３ａ３，２３ｂ３，２３ｃ３の投入口２２側において本体回転ドラム１″の円周方向複数箇所（本実施の形態では４箇所）に設けられ、本体回転ドラム１″（ドラム本体１７）の内周面１７ａからブロック部材２３ａ３，２３ｂ３，２３ｃ３の内径より径方向内側まで延設され且つ長手方向重量物排出口側（長手方向に図１２中左側）に向かってブロック部材２３ａ３，２３ｂ３，２３ｃ３の内側を通り各小径部２５Ａ、２５Ｂ，２５Ｃの長手方向重量物排出口側末端位置まで延設された掻き上げ板である。以上の点以外の構成は前述の一実施の形態における図１の構成と同様である。なお、掻き上げ板２４ａ３，２４ｂ３，２４ｃ３は、請求項４記載のブロック部材よりも高さを有する掻き上げ部材を構成する。
【００４７】
以上のような構成の本発明の風力選別機のさらに他の実施の形態によれば、ブロック部材２３ａ３，２３ｂ３，２３ｃ３の投入口２２側の端面２３ａ３Ａ，２３ｂ３Ａ，２３ｃ３Ａがそれぞれその径方向内側が径方向外側より長手方向重量物排出口側（長手方向に図１２中左側）に向かって傾斜した構造となっているので、前述した一実施の形態と同様に、重量物Ｈの滑り落ち始めてから落下し終わるまでの間における本体回転ドラム１″対する長手方向重量物排出口側への相対移動量を増大できる。さらに、掻き上げ板２４ａ３，２４ｂ３，２４ｃ３を本体回転ドラム内周面１７ａからブロック部材２３ａ３，２３ｂ３，２３ｃ３の内径より径方向内側まで延設し、且つ、本体回転ドラム１″の長手方向重量物排出口側に向かってブロック部材２３ａ３，２３ｂ３，２３ｃ３の内側を通り各小径部２５Ａ、２５Ｂ，２５Ｃの長手方向重量物排出口側末端位置まで延設するので、前述した他の実施の形態の変形例と同様に、重量物Ｈが各掻き上げ板２４ａ３，２４ｂ３，２４ｃ３上を斜め方向（径方向中心側と長手方向重量物排出口側との間の方向）に滑り落ちる時間を延長して重量物Ｈの本体回転ドラム１″対する長手方向重量物排出口側への相対移動量を増大できると共に、重量物Ｈをブロック部材２３ａ３，２３ｂ３，２３ｃ３の内側にガイドするように導入できる。これにより、ブロック部材２３ａ３，２３ｂ３，２３ｃ３を乗り越える重量物Ｈの割合をさらに確実に増加することができ、その結果、重量物Ｈの長手方向重量物排出口側への送り出し量をさらに増加して、風力選別機の選別処理量をさらに増加することができる。
【００４８】
なお、以上説明してきた本発明の風力選別機の一実施の形態、他の実施の形態、及びさらに他の実施の形態においては、掻き上げ板を本体回転ドラムの内周面の周方向４箇所に設けるようにしたが、これに限らず、４箇所未満又は５箇所以上でもよい。すなわち、本体回転ドラムに投入される混合廃棄物の最大の大きさを考慮して廃棄物が各掻き上げ板間に挟み込まれ固まって不動とならないように留意した上で、それら投入される混合廃棄物の性質・性状に合わせて設置数を設定すればよい。
【００４９】
また、以上説明してきた本発明の風力選別機の一実施の形態、他の実施の形態、及びさらに他の実施の形態においては、掻き上げ板をその厚さがほぼ一定の板状の部材としたが、これに限らない。すなわち、例えば図１３に示すようにその断面形状が径方向中心側に向けて尖った略三角形形状である掻き上げ板２４ｃ１′を用いてもよい（なお、ここでは本変形例を本発明の一実施の形態に適用した場合を示している）。この場合も、上記本発明の一実施の形態、他の実施の形態、及びさらに他の実施の形態と同様の効果を得ることができる。
【００５０】
【発明の効果】
請求項１記載の発明によれば、ブロック部材の投入ホッパ側の端面を筒状部材の径方向中心部に向かって傾斜させた構造とする。これにより、ブロック部材で捕捉した混合物を筒状部材の長手方向一方側へ円滑に移送することができるので、長手方向一方側への重量物の送り出し量を増加することができる。したがって、風力選別機の選別処理効率を向上することができる。
【００５１】
請求項３記載の発明によれば、ブロック部材の投入ホッパ側に設ける掻き上げ部材をブロック部材よりも高くする。これにより、掻き上げられた重量物が掻き上げ部材上を滑り落ちる時間を長くして重量物の筒状部材に対する長手方向一方側への相対移動量を増大することができる。その結果、ブロック部材を乗り越える重量物の割合が増加し、筒状部材内での長手方向一方側への重量物の送り出し量を増加することができる。したがって、風力選別機の選別処理効率を向上することができる。
【００５２】
請求項４記載の発明によれば、上記請求項１及び請求項３記載の発明の効果を共に得ることができるので、風力選別機の選別処理効率をさらに向上することができる。
【図面の簡単な説明】
【図１】本発明の風力選別機の一実施の形態の全体構造を一部断面で表す側面図である。
【図２】本発明の風力選別機の一実施の形態の全体構造を表す図１中矢印Ａ方向から見た矢視正面図である。
【図３】本発明の風力選別機の一実施の形態を構成する本体回転ドラムの内部構造を表す図１中ＩＩＩ−ＩＩＩ断面による横断面図である。
【図４】本発明の風力選別機の一実施の形態を構成する本体回転ドラムの構造を表す図１中ＩＶ−ＩＶ断面による横断面図である。
【図５】本発明の風力選別機の一実施の形態を構成する本体回転ドラム内での混合廃棄物の流れを示す図である。
【図６】本発明の風力選別機の一実施の形態を構成する本体回転ドラム内での混合廃棄物の流れを示す図５中ＶＩ−ＶＩ断面による横断面図である。
【図７】本発明の風力選別機の一実施の形態を構成する本体回転ドラムの変形例における混合廃棄物の流れを示す図である。
【図８】本発明の風力選別機の他の実施の形態の全体構造を一部断面で表す側面図である。
【図９】本発明の風力選別機の他の実施の形態における混合廃棄物が掻き上げ板上を滑り落ちる様子を示す図８中ＩＸ−ＩＸ断面による本体回転ドラムの横断面図である。
【図１０】本発明の風力選別機の他の実施の形態における混合廃棄物が掻き上げ板上を滑り落ちる様子を示す図９中Ｘ−Ｘ断面による本体回転ドラムの断面図である。
【図１１】本発明の風力選別機の他の実施の形態の変形例における混合廃棄物が掻き上げ板上を滑り落ちる様子を示す本体回転ドラムの断面図である。
【図１２】本発明の風力選別機のさらに他の実施の形態の全体構造を一部断面で表す側面図である。
【図１３】本発明の風力選別機の実施の形態を構成する掻き上げ板の変形例を示す本体回転ドラムの横断面図である。
【符号の説明】
１              本体回転ドラム（筒状部材）
３              ブロワ（送風機）
４              投入ホッパ
１７ａ          内周面
１８            カバー部材（長手方向一方側側面）
１９            カバー部材（長手方向他方側側面）
２３ａ１        ブロック部材
２３ｂ１        ブロック部材
２３ｃ１        ブロック部材
２３ａ１Ａ      端面
２３ｂ１Ａ      端面
２３ｃ１Ａ      端面
２３ａ２        ブロック部材
２３ｂ２        ブロック部材
２３ｃ２        ブロック部材
２３ａ３        ブロック部材
２３ｂ３        ブロック部材
２３ｃ３        ブロック部材
２３ａ３Ａ      端面
２３ｂ３Ａ      端面
２３ｃ３Ａ      端面
２４ａ２        掻き上げ板（掻き上げ部材）
２４ｂ２        掻き上げ板（掻き上げ部材）
２４ｃ２        掻き上げ板（掻き上げ部材）
２４ａ３        掻き上げ板（掻き上げ部材）
２４ｂ３        掻き上げ板（掻き上げ部材）
２４ｃ３        掻き上げ板（掻き上げ部材）
【図１】
2004314018.tif 000003
【図２】
2004314018.tif 000004
【図３】
2004314018.tif 000005
【図４】
2004314018.tif 000006
【図５】
2004314018.tif 000007
【図６】
2004314018.tif 000008
【図７】
2004314018.tif 000009
【図８】
2004314018.tif 000010
【図９】
2004314018.tif 000011
【図１０】
2004314018.tif 000012
【図１１】
2004314018.tif 000013
【図１２】
2004314018.tif 000014
【図１３】
2004314018.tif 000015